(57)【要約】【課題】低コストで、組み立て時の時間及び手間を低減させることができるレンズ鏡筒を実現する。【解決手段】基体６に対して、レンズの光軸方向に移動可能な移動枠ユニットと、移動枠ユニットに固定された固定部７１と固定部７１から延出した延出部とを備えたフレキシブルプリント基板７とを備え、基体６は移動枠ユニットが配置された方向に突出する突起部６１を備え、延出部は固定部７１から延出し突起部６１を介し少なくとも基体６または他の部材に到達するまで配置されているとともに、固定部７１と突起部６１との間の部分が、略Ｕ字形状に湾曲して配置されている。【選択図】図２
2007241266.tif 000002
【特許請求の範囲】
【請求項１】
少なくとも１枚のレンズを備えるレンズ鏡筒であって、
基体と、
前記基体に対して、前記レンズの光軸方向に移動可能な移動枠ユニットと、
前記移動枠ユニットに固定された固定部と、前記固定部から延出した延出部とを備えたフレキシブルプリント基板とを備え、
前記基体は、
前記移動枠ユニットが配置された方向に突出する突起部を備え、
前記延出部は、
前記固定部から延出し、前記突起部を介し、少なくとも前記基体または他の部材に到達するまで配置されているとともに、
前記固定部と前記突起部との間の部分が、略Ｕ字形状に湾曲して配置されている、
レンズ鏡筒。
【請求項２】
少なくとも前記移動枠ユニット及び前記突起部をカバーする外側枠体を、さらに備えた、請求項１記載のレンズ鏡筒。
【請求項３】
前記延出部に孔部を備え、
前記突起部にピンを備え、
前記延出部は、前記孔部に前記ピンが挿入されて、少なくとも当該孔部において前記突起部に保持されている、
請求項１記載のレンズ鏡筒。
【請求項４】
前記突起部の先端に前記ピンを備えた、請求項３記載のレンズ鏡筒。
【請求項５】
前記突起部の側面に前記ピンを備えた、請求項３記載のレンズ鏡筒。
【請求項６】
前記突起部に前記延出部の一部を保持可能なフックを備え、
前記延出部は、その一部が前記フックに保持され、少なくとも前記フックに保持された部分において前記突起部に保持されている、
請求項１記載のレンズ鏡筒。
【請求項７】
前記フックは、前記突起部の側面に備えた、請求項６記載のレンズ鏡筒。
【請求項８】
前記フレキシブルプリント基板を複数備え、
前記複数のフレキシブルプリント基板は、
前記延出部における前記固定部と前記突起部との間の部分が、略Ｕ字形状に湾曲して配置され、
前記Ｕ字形状に湾曲した部分において、前記略Ｕ字形状の内側に配置されたフレキシブルプリント基板の前記固定部から前記突起部までの長さが、前記略Ｕ字形状の外側に配置されたフレキシブルプリント基板の前記固定部から前記突起部までの長さよりも、短くなるよう配置されている、
請求項１記載のレンズ鏡筒。
【請求項９】
少なくとも１枚のレンズを備えるレンズ鏡筒を備えた撮像装置であって、
前記レンズ鏡筒は、
基体と、
前記基体に対して、前記レンズの光軸方向に移動可能な移動枠ユニットと、
前記移動枠ユニットに固定された固定部と、前記固定部から延出した延出部とを備えたフレキシブルプリント基板とを備え、
前記基体は、前記移動枠ユニットが配置された方向に突出する突起部を備え、
前記延出部は、前記固定部から延出し、前記突起部を介し、少なくとも前記基体または他の部材に到達するまで配置されているとともに、前記固定部と前記突起部との間の部分が、略Ｕ字形状に湾曲して配置されている、
撮像装置。
【発明の詳細な説明】
【技術分野】
【０００１】
本発明は、光学レンズが内蔵されているレンズ鏡筒に関する。また、レンズ鏡筒を備えた撮像装置に関する。特に、レンズ鏡筒内のフレキシブルプリント基板（以下、ＦＰＣと称する）の収納構造に関する。
【背景技術】
【０００２】
近年、コンパクト式のデジタルスチルカメラには、沈胴式レンズが搭載されていることが多い。沈胴式レンズは、鏡筒を光軸方向に移動可能であるとともに、カメラ本体に収納された収納位置と、カメラ本体から突出した突出位置との間を移動可能にした構成である。
【０００３】
このような沈胴式レンズには、オートフォーカスを行うためのフォーカスレンズ、および光像の拡大または縮小を行うズームレンズなどが内蔵されている。また、沈胴式レンズにおけるフォーカスレンズ及びズームレンズの近傍（可動部分）には、フォーカスレンズ及びズームレンズを駆動するためのアクチュエータが配されている。各アクチュエータとカメラ本体側の電気回路基板とは、ＦＰＣによって電気的に接続するのが一般的となっている。このような構成において、ＦＰＣは、各レンズの光軸方向への移動を妨げないように、長めのＦＰＣで構成されている。
【０００４】
長めのＦＰＣを搭載することで、フォーカスレンズ及びズームレンズが光軸方向に移動した時に、ＦＰＣが撓んで光路内へ進入してしまう可能性がある。また、鏡筒の組立時、撓んだＦＰＣの位置が安定しないため、組立作業性が悪い。このような問題を解消する構成が、特許文献１（特開２００３−３０７６６７号公報）に開示されている。
【０００５】
特許文献１に開示された構成は、ＦＰＣを固定するためのフレキ押さえ板を備えている。これにより、ＦＰＣを位置決めすることができるので、ＦＰＣが光路内へ進入することを防いだり、組立作業性を向上させたりすることができる。
【０００６】
図８は、特許文献１に開示されているＦＰＣユニットの構成を示す斜視図である。図８に示すように、ＦＰＣユニットは、ＦＰＣ１０１とフレキ押さえ板１０２とから構成されている。ＦＰＣ１０１は、予め２カ所の曲げ部１０１ａ及び１０１ｂが形成されている。また、ＦＰＣ１０１は、図中左端側（可動部材側）が鏡筒内の可動部分に接続され、右端側（本体側）がカメラ本体の電気回路基板に接続されている。ＦＰＣ１０１は、図８に示すようにフレキ押させ板１０２に保持される。フレキ押さえ板１０２に保持されているＦＰＣ１０１は、曲げ部１０１ａがフレキ押さえ板１０２に位置決めされ、曲げ部１０１ａから本体側の部分はフレキ押さえ板１０２に両面テープなどで固定されている。また、ＦＰＣ１０１における曲げ部１０１ａから可動部材側は、フレキ押さえ板１０２に固定されていないため、矢印Ａ方向またはその逆方向に移動自在である。ＦＰＣ１０１が矢印Ａ方向またはその逆方向に移動する際は、曲げ部１０１ｂが伸縮する。
【０００７】
また、図８に示すＦＰＣユニットを組み立てる際は、まず、前工程でＦＰＣ１０１を折り曲げて曲げ部１０１ａを形成する。次に、フレキ押さえ板１０２の曲げ部１０２ａに、曲げ部１０１ａを挿入する。次に、ＦＰＣ１０１における曲げ部１０１ａから本体側の一部を、両面テープでフレキ押さえ板１０２に固定する。次に、ＦＰＣ１０１を略Ｕ形状に曲げて可動部側へ引き回す。これにより、ＦＰＣユニットが完成する。組み立てたＦＰＣユニットは、鏡筒に組み込むことができる。
【特許文献１】特開２００３−３０７６６７号公報
【発明の開示】
【発明が解決しようとする課題】
【０００８】
しかしながら特許文献１に開示されている構成では、コストアップになるとともに、組み立てに時間及び手間がかかってしまうという問題があった。
【０００９】
すなわち、特許文献１に開示されている構成では、フレキ押さえ板１０２が必要であったので、コストアップになってしまう。また、ＦＰＣユニットの組立時、ＦＰＣ１０１に曲げ部１０１ａを形成する工程が必要であるため、組立作業に時間がかかってしまう。また、ＦＰＣ１０１を両面テープでフレキ押さえ板１０２に固定する構成であるため、両面テープが必要となり、コストアップになってしまう。また、両面テープを貼り付ける工程が必要となるため、組立作業に時間及び手間がかかってしまう。
【００１０】
本発明は、低コストで、組み立て時の時間及び手間を低減させることができるレンズ鏡筒を実現することを目的とする。また、そのようなレンズ鏡筒を備えた撮像装置を実現することを目的とする。
【課題を解決するための手段】
【００１１】
本発明のレンズ鏡筒は、少なくとも１枚のレンズを備えるレンズ鏡筒であって、基体と、前記基体に対して、前記レンズの光軸方向に移動可能な移動枠ユニットと、前記移動枠ユニットに固定された固定部と、前記固定部から延出した延出部とを備えたフレキシブルプリント基板とを備え、前記基体は、前記移動枠ユニットが配置された方向に突出する突起部を備え、前記延出部は、前記固定部から延出し、前記突起部を介し、少なくとも前記基体または他の部材に到達するまで配置されているとともに、前記固定部と前記突起部との間の部分が、略Ｕ字形状に湾曲して配置されているものである。
【００１２】
また、本発明の撮像装置は、少なくとも１枚のレンズを備えるレンズ鏡筒を備えた撮像装置であって、前記レンズ鏡筒は、基体と、前記基体に対して、前記レンズの光軸方向に移動可能な移動枠ユニットと、前記移動枠ユニットに固定された固定部と、前記固定部から延出した延出部とを備えたフレキシブルプリント基板とを備え、前記基体は、前記移動枠ユニットが配置された方向に突出する突起部を備え、前記延出部は、前記固定部から延出し、前記突起部を介し、少なくとも前記基体または他の部材に到達するまで配置されているとともに、前記固定部と前記突起部との間の部分が、略Ｕ字形状に湾曲して配置されているものである。
【００１３】
本発明のレンズ鏡筒およびそれを備えた撮像装置によれば、フレキシブルプリント基板を固定するための専用部材を用いることなく、レンズ鏡筒の構成部品のみでフレキシブルプリント基板の固定を可能としたことにより、低コストな構成で実現することができる。また、組み立てが簡単になるため、組み立て時の時間及び手間を低減させることができる。
【発明の効果】
【００１４】
本発明のレンズ鏡筒およびそれを備えた撮像装置によれば、コストダウンができるとともに、組み立て時の時間及び手間を低減させることができる。
【発明を実施するための最良の形態】
【００１５】
（実施の形態１）
〔１．レンズ鏡筒の構成〕
図１は、実施の形態１におけるレンズ鏡筒の平面図である。図２及び図３は、レンズ鏡筒の断面図であり、図１におけるＺ−Ｚ部分の断面である。図２はレンズ鏡筒における移動枠ユニット（後述）が繰り出している途中の状態を示す。図３はレンズ鏡筒における移動枠ユニットが最も繰り出した状態を示す。なお、図２及び図３において、レンズ鏡筒１の図中上側は、撮影時に被写体側を向くので「被写体側」と称する。また、レンズ鏡筒１の図中下側は、撮像素子が配されている側なので「像面側」と称する。また、図２などにおいて、移動枠ユニットは、第１の枠体２、第２の枠体３、レンズユニット５とから構成されている。また、図３に示すように移動枠ユニットが最も繰り出している位置を「突出位置」と称する。また、図示しないが、移動枠ユニットがカメラ本体内に収納されている位置を「収納位置」と称する。図４は、レンズ鏡筒の内部構造を示す斜視図である。なお、図４は、レンズ鏡筒の内部構造がよく理解できるように、第３の枠体などの部品の図示を省略している。図５は、第３の枠体の構成を示す斜視図である。
【００１６】
図１〜図３に示すように、レンズ鏡筒１は、第１の枠体２、第２の枠体３、第３の枠体４、レンズユニット５、基体６、ＦＰＣ７、アクチュエータユニット８、およびギア９とを備えている。図１に示すように、第１の枠体２、第２の枠体３、および第３の枠体４は、光軸を中心にして配されている。
【００１７】
第１の枠体２は、略円筒形状に形成され、第２の枠体３の内側に配されている。また、第１の枠体２は、第３の枠体４に形成されているガイド溝４４に沿って、光軸方向に移動可能に配されている。また、第１の枠体２は、内周円筒面において、光軸に平行な方向にガイド溝が形成されている。また、第１の枠体２は、被写体側の端部（図２における最上部）にレンズバリア２１を備えている。また、第１の枠体２は、被写体側端部の近傍に対物レンズ２２を保持している。
【００１８】
レンズバリア２１は、２枚の板状の部材で構成され、対物レンズ２２を隠蔽する閉位置と、対物レンズ２２を開放する開位置とに移動可能に配されている。
【００１９】
第２の枠体３は、略円筒形状に形成され、第３の枠体４の内側に回転自在に配されている。また、第２の枠体３は、内周円筒面にカム溝３１が形成されている。
【００２０】
カム溝３１は、光軸方向に対して傾斜する方向に形成されている傾斜部分を含む、連続的な溝で形成されている。第２の枠体３が光軸を中心に回転動作し、カムピン２３がカム溝３１の傾斜部分に沿って移動することで、第１の枠体２が光軸方向へ移動する。また、第２の枠体３は、外周円筒面にカムピン３２を備えている。
【００２１】
カムピン３２は、第２の枠体３の外周円筒面に突出して形成されている。また、カムピン３２は、カム溝４３に移動自在に嵌合している。
【００２２】
第３の枠体４（外側枠体）は、図５に示すように略円筒形状に形成され、カメラ本体（不図示）に固定して取り付けられる。また、第３の枠体４は、外周円筒面から突出するように、カバー部４１が形成されている。カバー部４１の被写体側端部には、孔部４２が形成されている。また、第３の枠体４は、内周円筒面にカム溝４３が形成されている。
【００２３】
カム溝４３は、第３の枠体４の光軸に対して直交する方向に形成されている部分と、光軸方向に対して傾斜する方向に形成されている傾斜部分とを含む、連続的な溝で形成されている。第２の枠体３が光軸を中心に回転動作し、カムピン３２がカム溝４３の傾斜部分を移動することで、第２の枠体３が光軸方向へ移動する。また、第３の枠体４は、内周円筒面において、光軸方向に対して平行な方向にガイド溝４４が形成されている。
【００２４】
ガイド溝４４には、第１の枠体２の外周円筒面に形成されている突起（不図示）が移動自在に嵌合している。これにより、第１の枠体２が光軸方向へ移動する際に、光軸を中心にした円周方向への移動を規制しながら、光軸方向への移動を案内している。
【００２５】
レンズユニット５は、少なくともズームレンズ、およびズームレンズを光軸方向へ移動させるアクチュエータを備えている。また、レンズユニット５は、第２の枠体３が光軸を中心に回転することによって、光軸方向へ移動させることができる。また、レンズユニット５は、外周円筒面にカムピン５１が形成されている。また、レンズユニット５の外周円筒面には、第１の枠体２の内周円筒面に形成されているガイド溝（不図示）に嵌合可能なピン（不図示）が形成されている。
【００２６】
カムピン５１は、レンズユニット５の外周円筒面に突出して形成されている。また、カムピン５１は、カム溝３１に移動自在に嵌合している。
【００２７】
基体６は、略板状の部材であり、第３の枠体４の底面に一体的に取り付けられる。また、基体６は、ＣＣＤイメージセンサーなどの撮像素子、撮像素子を動作させる電気回路基板、および電気回路基板とカメラ本体に内蔵されている電気回路基板とを電気的に接続するＦＰＣなどが配されている。また、基体６は、主面上の外周縁近傍に突起部６１が形成されている。
【００２８】
突起部６１は、略柱状で、対物レンズ２２側に向かって突出するように形成されている。また、突起部６１は、レンズ鏡筒１から外部に引き出されるＦＰＣ７を保持するために形成されている。また、突起部６１の長手方向の長さは、レンズユニット５が撮像素子の像面側に最も引き込まれた位置にある時に、撓んだＦＰＣ７が基体６や他部材に接触しないような長さに設定されている。すなわち、突起部６１が短すぎると、ＦＰＣ７の撓み量が少なくなるためレンズユニット５の移動量が少なくなってしまう。一方、突起部６１が長すぎると、ＦＰＣ７の長さを長くしないといけないため、コストアップになってしまう。本実施の形態では、突起部６１の長手方向の長さは、第３の枠体４の高さ寸法とほぼ同等としたが、これに限らない。また、突起部６１の先端には、ピン６２が形成されている。
【００２９】
ピン６２は、突起部６１の先端において、被写体側に突出するように形成されている。また、ピン６２は、本実施の形態では略円筒形状としたが、角柱形状などのように他の形状で形成してもよい。また、ピン６２の外径は、ＦＰＣ７に形成されている孔部７５に嵌合可能な寸法であればよく、本実施の形態では孔部７５の内径に対して僅かに大きな寸法で形成されている。なお、ピン６２を角柱形状とし、孔部７５を角孔形状とすることで、レンズ鏡筒１を組み立てる際、ＦＰＣ７が位置決めされるため、組立作業性を向上することができるとともに、組立後のＦＰＣ７の位置を安定させることができる。
【００３０】
ＦＰＣ７は、レンズユニット５に備わるアクチュエータと、基体６に配されている電気回路基板またはカメラ本体側の電気回路基板とを、電気的に接続することができる。ＦＰＣ７は、図７の要部平面図に示すように構成されている。図７に示すように、ＦＰＣ７は、少なくともレンズユニット５に電気的に接続される固定部７１と、ＦＰＣ７をレンズ鏡筒１に組み込んだ際に図２に示すように略Ｕ形状に湾曲可能なリード部７２と、突起部６１の先端に保持される保持部７３と、カバー部４１と突起部６１との間に位置するリード部７４とを備えている。ここで、延出部は、リード部７２と保持部７３とリード部７４とで構成されている。保持部７３には、ピン６２が嵌合可能な孔部７５が形成されている。なお、図７に示す破線は、各部の境界を示す線であり、ＦＰＣ７に前工程などで形成される折り目ではない。
【００３１】
また、ＦＰＣ７は、図２及び図３に示すように、２枚のＦＰＣ７ａ及び７ｂが互いに重なり合うように配線されているが、１枚のＦＰＣであっても同様に配線することができる。複数枚のＦＰＣ７が重ねて配線されている場合は、それぞれのＦＰＣ７に孔部７５を形成しておくことにより、ＦＰＣ７が１枚の場合と同様の固定方式で簡単に突起部６１に固定することができる。この場合は、複数のＦＰＣ７を重ねてピン６２に保持させる時に、最後にピン６２に保持させるＦＰＣ（すなわち、ピン６２の軸方向の最上段に配置するＦＰＣであって、例えば図２に示すＦＰＣ７ａに相当する）の孔部７５に、ピン６２を圧入もしくは軽圧入にしておけば、複数枚のＦＰＣ７を突起部６１に仮止めすることができる。したがって、すべてのＦＰＣ７の孔部７５において、ピン６２を圧入もしくは軽圧入する必要はない。
【００３２】
また、複数枚のＦＰＣ７において、固定部７１の端部から孔部７５までの長さが全て同じであった場合、図２に示すようにリード部７２（図７参照）において湾曲させると、移動枠ユニットが矢印Ｃに示す方向またはその逆方向に移動する際にＦＰＣ同士が擦れ合い、ＦＰＣ７の表面が損傷したり、ＦＰＣ７に内蔵されている導線が断線してしまう可能性がある。そこで、本実施の形態では、複数枚のＦＰＣ７において、固定部７１の端部から孔部７５までの長さ寸法を、各ＦＰＣ毎に異ならせている。具体的には、最も被写体側に位置するＦＰＣ７ａの前記長さ寸法を最も短くし、最も像面側に位置するＦＰＣ７ｂの前記長さ寸法を最も長くしている。このように構成することで、移動枠ユニットが矢印Ｃに示す方向またはその逆方向に移動する際に、ＦＰＣ同士が擦れ合わないため、ＦＰＣ７の表面の損傷、またはＦＰＣ７に内蔵されている導線の断線を防ぐことができる。また、各ＦＰＣのリード部７２の長さは、部品精度によってのみ決まるため、組立作業によるばらつきが発生せず、高い品質を維持することができる。
【００３３】
アクチュエータユニット８は、アクチュエータ８１、アクチュエータホルダー８２、およびギア８３を備えている。アクチュエータ８１は、通電することにより出力軸（不図示）が回転駆動する。アクチュエータ８１は、移動枠ユニットを収納位置と突出位置との間で移動させるための駆動源である。アクチュエータホルダー８２は、アクチュエータ８１を保持するとともに、第３の枠体４の外周円筒面に保持されている。また、アクチュエータホルダー８２は、アクチュエータ８１に備わる出力軸に噛み合うギア列が内蔵されている。ギア８３は、支軸８３ａによってアクチュエータホルダー８２に回動自在に保持されている。また、ギア８３は、アクチュエータホルダー８２に内蔵されているギア列に噛み合うとともに、ギア９に噛み合っている。
【００３４】
ギア９は、第３の枠体４の外周円筒面に配されているホルダー９ｂに、支軸９ａによって回転自在に支持されて配されている。また、ギア９は、ギア８３に噛み合うとともに、第２の枠体３の外周円筒面に形成されているギア（不図示）に噛み合っている。したがって、アクチュエータ８１から出力される回転駆動力は、アクチュエータホルダー８２内のギア列、ギア８３、ギア９、第２の枠体３の外周円筒面に形成されているギア、の順に伝達され、第２の枠体３を回転駆動することができる。
【００３５】
〔２．レンズ鏡筒の動作〕
図１に示すように、実施の形態１におけるレンズ鏡筒がデジタルスチルカメラに搭載されている場合は、デジタルスチルカメラの電源がオフの時、第１の枠体２、第２の枠体３、およびレンズユニット５は、第３の枠体４内に収納された位置にある。すなわち、レンズ鏡筒１は、カメラ本体（不図示）から突出せずに、カメラ本体内に収納された位置にある。なお、説明の便宜上、レンズ鏡筒１がカメラ本体内に収納されている状態、および第１の枠体２及び第２の枠体３が第３の枠体４内に収納されている状態を表す図面は省略した。
【００３６】
デジタルスチルカメラの電源スイッチがオフからオンに切り替えられると、アクチュエータ８１は通電されて動作を開始する。アクチュエータ８１は、動作を開始すると出力軸が回転を開始する。出力軸の回転力は、アクチュエータホルダー８２に内蔵されているギア列を伝って、ギア８３に伝達される。ギア８３に伝達された駆動力は、ギア９を介して、第２の枠体３の外周円筒面に形成されているギアに伝達される。これにより、第２の枠体３は、矢印Ｂに示す方向へ回転駆動される。
【００３７】
次に、図２に示すように、第２の枠体３が回転駆動されると、カムピン３２がカム溝４３に沿って移動する。カムピン３２がカム溝４３の傾斜部分に沿って移動すると、第２の枠体３が矢印Ｃに示す方向へ移動される。すなわち、第２の枠体３は、矢印Ｂに示す方向へ回転しながら、矢印Ｃに示す方向へ移動する。第２の枠体３が移動するのに伴い、第１の枠体２が一体的に矢印Ｃに示す方向へ移動する。
【００３８】
また、第２の枠体３が回転駆動されると、カム溝３１がカムピン５１に対して相対的に移動する。カムピン５１がカム溝３１の傾斜部分に沿って移動すると、レンズユニット５が矢印Ｃに示す方向へ移動される。レンズユニット５は、その外周円筒面に突出して形成されているピン（不図示）と、第１の枠体２の内周円筒面に形成されているガイド溝（不図示）とが移動自在に嵌合しているため、矢印Ｂに示す方向あるいはその逆方向への回転が規制されながら、矢印Ｃに示す方向へ移動する。
【００３９】
したがって、第２の枠体３が回転すると、第１の枠体２、第２の枠体３、およびレンズユニット５が矢印Ｃに示す方向へ移動される。なお、第３の枠体４と基体６は、カメラ本体に固定されているため、移動しない。
【００４０】
図３に示すように、第１の枠体２及び第２の枠体３が最も繰り出した状態では、レンズユニット５は対物レンズ２２の近傍まで移動している。また、レンズバリア２１は開いている。この状態で、被写体の撮影を行うことができる。
【００４１】
次に、レンズ鏡筒１を動作させている時における、ＦＰＣ７の動きについて説明する。
【００４２】
図２に示すように、ＦＰＣ７は、その一端である固定部７１がレンズユニット５に固定されている。リード部７２は、レンズユニット５から像面側へ向かって配線され、略Ｕ字状に約１８０度湾曲され、被写体側へ向かって配線されている。保持部７３は、突起部６１の先端に保持されている。リード部７４は、突起部６１の先端から像面側へ向かって配線され、カバー部４１と突起部６１との間を通って、レンズ鏡筒１の外部へ引き出されている。なお、保持部７３は、孔部７５にピン６２を挿通させることで、突起部６１の先端に保持させることができる。さらに、保持部７３は、カバー部４１と突起部６１の先端とに挟まれているため、保持部７３が突起部６１から離脱するのを防いでいる。ここで、カバー部４１に形成されている孔部４２にピン６２を挿通させていることで、保持部７３がピン６２から離脱するのを防いでいる。
【００４３】
図２に示すようにＦＰＣ７が撓んでいる状態で、第２の枠体３が回転駆動されて、レンズユニット５が矢印Ｃに示す方向へ移動すると、ＦＰＣ７は、一端がレンズユニット５に固定されているため矢印Ｃに示す方向へ引っ張られ、図３に示す状態になる。ＦＰＣ７は、長さに余裕を持たせて配線されているため、図３に示す状態に移行しても無理なテンションがかからない。よって、ＦＰＣ７内の導線が断線することを防止できる。
【００４４】
また、保持部７３は突起部６１の先端に保持されているとともに、第３の枠体４と基体６とがカメラ本体に固定されているため、ＦＰＣ７が図２に示す状態と図３に示す状態との間を移行する際、保持部７３及びリード部７４の位置は変わらない。
【００４５】
〔３．レンズ鏡筒の組立方法〕
レンズ鏡筒１の組立方法について説明するが、第１の枠体２、第２の枠体３、およびレンズユニット５は、予め互いに組み付けられてユニット化（移動枠ユニット）されていることを前提とする。また、ＦＰＣ７の固定部７１は、予めレンズユニット５に固定されていることを前提とする。
【００４６】
まず、ＦＰＣ７を突起部６１に装着する。具体的には、ＦＰＣ７に形成されている孔部７５に、突起部６１に形成されているピン６２を挿通させる。
【００４７】
次に、移動枠ユニットを基体６に装着する。具体的には、レンズユニット５における像面に対向する面に形成されている開口部（不図示）に、基体６に形成されている突起部６３（図４参照）を挿入し、移動枠ユニットを基体６の主面（突起部６３が形成されている面）上に載置する。移動枠ユニットは、突起部６３によって位置決めされる。この時、ＦＰＣ７は、図４に示すようにリード部７２が略Ｕ字状に湾曲した状態になる。
【００４８】
次に、第３の枠体４を基体６に装着する。具体的には、カバー部４１と突起部６１とを位置合わせした後、第３の枠体４を移動枠ユニットに対して被写体側から装着する。つまり、第３の枠体４を、図２におけるレンズ鏡筒１の上側から、第２の枠体３の外周円筒面に沿って嵌合させる。これにより、孔部４２にピン６２が挿入されて、突起部６１とカバー部４１とが位置決めされる。また、既にＦＰＣ７の孔部７５がピン６２に嵌合されているため、孔部４２にピン６２が挿入されることにより、ＦＰＣ７がピン６２から離脱しないように規制することができる。また、第２の枠体３の外周円筒面に形成されているカムピン３２が、カム溝４３に嵌合される。また、第２の枠体３の外周円筒面に形成されているギア部と、ギア９とが噛み合う。
【００４９】
次に、アクチュエータユニット８を第３の枠体４に装着する。具体的には、アクチュエータユニット８を、図１に示すように第３の枠体４の外周円筒面に固定する。この時、ギア８３とギア９とを噛み合わせる。なお、アクチュエータユニット８と第３の枠体４との詳しい固定方法は図示していないが、例えばアクチュエータホルダー８２に形成されているピンと、第３の枠体４に形成されている凹部とを嵌合させることで、アクチュエータユニット８を第３の枠体４に固定することができる方法がある。
【００５０】
これにより、レンズ鏡筒１が完成する。
【００５１】
〔４．実施の形態の効果、他〕
実施の形態１にかかるレンズ鏡筒は、少なくとも１枚のレンズを備えるレンズ鏡筒であって、基体６と、基体６に対してレンズの光軸方向に移動可能なレンズユニット５と、レンズユニット５に固定された固定部７１を有するＦＰＣ７とを備える。基体６は、レンズユニット５が配置された方向に突出する突起部６１を備える。ＦＰＣ７は、固定部７１と保持部７３との間で、略Ｕ字形状に湾曲するように配置されるリード部７２を備える。これにより、ＦＰＣを固定するために専用の部材を用意する必要がないため、部品点数を削減することができる。また、部品点数を削減することができるため、コストダウンすることができるとともに、装置を小型化することができる。
【００５２】
また、レンズユニット５の進退移動を繰り返しても、ＦＰＣ７（特にリード部７２）に対して局所的に余分な負荷がかからないため、ＦＰＣの信頼性を確保できる。
【００５３】
また、実施の形態１にかかるレンズ鏡筒は、少なくともレンズユニット５及び突起部６１をカバーする第３の枠体４をさらに備える。これにより、リード部７２が他の部材に接触して、リード部７２が損傷するのを防ぐことができる。
【００５４】
また、実施の形態１にかかるレンズ鏡筒は、ＦＰＣ７の保持部７３に孔部７５が形成され、基体６の突起部６１にピン６２が形成されている。そして、ピン６２を孔部７５に挿入することにより、保持部７３を突起部６１に保持できる。これにより、ＦＰＣ７の一部（保持部７３）を突起部６１に固定するために、両面テープなどの接着部材を使用する必要がないので、コストを削減できる。また、接着工程を必要としないため、組立工数を削減できる。
【００５５】
また、複数枚のＦＰＣを重ねて配線する際、ＦＰＣ７は、被写体側に位置するＦＰＣ７ａにおける固定部７１から孔部７５までの長さ寸法が、像面側に位置するＦＰＣ７ｂにおける固定部７１から孔部７５までの長さ寸法よりも長くなるように配線する。これにより、複数枚のＦＰＣを重ねて配置した上で、レンズユニット５を光軸方向に進退移動を繰り返した場合でも、リード部７２においてＦＰＣ同士が干渉し合う（擦れ合うことなど）ことがないため、ＦＰＣ７の損傷およびＦＰＣ７に内蔵されている導線の断線を防止することができる。よって、ＦＰＣ７の信頼性を確保できる。また、複数枚のＦＰＣにおける各ＦＰＣ７が互いに干渉し合うことにより、ＦＰＣ７が予想外の方向に撓んでしまうという不具合を防ぐことができる。
【００５６】
なお、実施の形態１におけるピン６２のように、ＦＰＣ７を保持する部材は、突起部６１の先端に形成したが、突起部６１の側面に形成してもよい。図６は、ＦＰＣを保持する部材を突起部６１の側面に形成した例を示す。なお、図６は、レンズ鏡筒の内部構造がよく理解できるように、第３の枠体などの部品の図示を省略している。図６に示す構成は、突起部６１の側面にフック６４が形成されている。リード部７２の一部をフック６４に係合させることにより、リード部７２を突起部６１の側面に沿わせて保持させることができる。
【００５７】
また、ピン６２は、突起部６１の先端に限らず、突起部６１の側面に形成することができる。その場合は、ピン６２を、突起部６１におけるレンズユニット５に対向する面の裏面に形成する。また、カバー部４１における突起部６１の側面に対向する内側面に、カバー部４１の長手方向に沿って溝を形成する。前記溝は、レンズ鏡筒の組立時、第３の枠体４をレンズ鏡筒１の上側から基体６に装着させる際に、ピン６２が前記溝の内部を移動できるように形成するとともに、第３の枠体４が基体６に装着された時に、ピン６２がＦＰＣ７を保持したまま前記溝の内部に位置するように形成する。これにより、ピン６２を突起部６１の先端に形成した構成と、同様の効果を得ることができる。
【００５８】
また、ピン６２とフック６４の併用による固定も可能である。
【００５９】
〔付記１〕
本発明のレンズ鏡筒は、少なくとも１枚のレンズを備えるレンズ鏡筒であって、基体と、前記基体に対して、前記レンズの光軸方向に移動可能な移動枠ユニットと、前記移動枠ユニットに固定された固定部と、前記固定部から延出した延出部とを備えたフレキシブルプリント基板とを備え、前記基体は、前記移動枠ユニットが配置された方向に突出する突起部を備え、前記延出部は、前記固定部から延出し、前記突起部を介し、少なくとも前記基体または他の部材に到達するまで配置されているとともに、前記固定部と前記突起部との間の部分が、略Ｕ字形状に湾曲して配置されている。
【００６０】
上記構成において、移動枠ユニットは、実施の形態１における第１の枠体２、第２の枠体３、レンズユニット５とから構成されている。なお、移動枠ユニットを構成する枠体は、実施の形態１に示すように２個に限らず、３個以上であってもよい。また、レンズユニット５は、ズームレンズなどの光学レンズのみを備える構成に限らず、像ぶれ補正装置または絞りなど、光学レンズ以外の部品を備えていてもよい。なお、固定部７１は、固定部の一例である。突起部６１は、突起部の一例である。リード部７２、保持部７３、およびリード部７４は、延出部の一例である。
【００６１】
〔付記２〕
本発明のレンズ鏡筒は、少なくとも前記移動枠ユニット及び前記突起部をカバーする外側枠体を、さらに備えた構成とすることができる。この構成により、両面テープ等の接着部材を用いずに、簡単な方法で確実にフレキシブルプリント基板を固定することができる。
【００６２】
なお、第３の枠体４は、外側枠体の一例である。
【００６３】
〔付記３〕
本発明のレンズ鏡筒は、前記延出部に孔部を備え、前記突起部にピンを備え、前記延出部は、前記孔部に前記ピンが挿入されて、少なくとも当該孔部において前記突起部に保持されている構成とすることができる。この構成により、両面テープ等の接着部材を用いずに、簡単な方法で確実にフレキシブルプリント基板を固定することができる。
【００６４】
なお、孔部７５は、孔部の一例である。孔部は、実施の形態１に示すように貫通孔で構成されている必要はなく、突起部６１側から見て凹状（非貫通）に形成されていてもよい。また、ピン６２は、ピンの一例である。
【００６５】
〔付記４〕
本発明のレンズ鏡筒は、前記突起部の先端に前記ピンを備えた構成とすることができる。この構成により、両面テープ等の接着部材を用いずに、簡単な方法で確実にフレキシブルプリント基板を固定することができる。
【００６６】
〔付記５〕
本発明のレンズ鏡筒は、前記突起部の側面に前記ピンを備えた構成とすることができる。この構成により、両面テープ等の接着部材を用いずに、簡単な方法で確実にフレキシブルプリント基板を固定することができる。
【００６７】
〔付記６〕
本発明のレンズ鏡筒は、前記突起部に前記延出部の一部を保持可能なフックを備え、前記延出部は、その一部が前記フックに保持され、少なくとも前記フックに保持された部分において前記突起部に保持されている構成とすることができる。この構成により、両面テープ等の接着部材を用いずに、簡単な方法で確実にフレキシブルプリント基板を固定することができる。
【００６８】
なお、フック６４は、フックの一例である。フックは、フック６４に示すような形状に限らず、少なくともＦＰＣ７を突起部６１に保持することができる構成であればよい。
【００６９】
〔付記７〕
本発明のレンズ鏡筒は、前記フックは、前記突起部の側面に備えた構成とすることができる。この構成により、両面テープ等の接着部材を用いずに、簡単な方法で確実にフレキシブルプリント基板を固定することができる。
【００７０】
〔付記８〕
本発明のレンズ鏡筒は、前記フレキシブルプリント基板を複数備え、前記複数のフレキシブルプリント基板は、前記延出部における前記固定部と前記突起部との間の部分が、略Ｕ字形状に湾曲して配置され、前記Ｕ字形状に湾曲した部分において、前記略Ｕ字形状の内側に配置されたフレキシブルプリント基板の前記固定部から前記突起部までの長さが、前記略Ｕ字形状の外側に配置されたフレキシブルプリント基板の前記固定部から前記突起部までの長さよりも、短くなるよう配置されている構成とすることができる。この構成により、フレキシブルプリント基板が繰り返し屈曲されることによって、フレキシブルプリント基板同士が互いに擦れ合うことを防止することができる。よって、フレキシブルプリント基板における断線等の不具合が発生することを防止することができる。また、そのような構成を簡単に実現できる。
【００７１】
〔付記９〕
本発明の撮像装置は、少なくとも１枚のレンズを備えるレンズ鏡筒を備えた撮像装置であって、前記レンズ鏡筒は、基体と、前記基体に対して、前記レンズの光軸方向に移動可能な移動枠ユニットと、前記移動枠ユニットに固定された固定部と、前記固定部から延出した延出部とを備えたフレキシブルプリント基板とを備え、前記基体は、前記移動枠ユニットが配置された方向に突出する突起部を備え、前記延出部は、前記固定部から延出し、前記突起部を介し、少なくとも前記基体または他の部材に到達するまで配置されているとともに、前記固定部と前記突起部との間の部分が、略Ｕ字形状に湾曲して配置されている。
【００７２】
なお、第１の枠体２、第２の枠体３、およびレンズユニット５は、移動枠ユニットの一例である。移動枠ユニットを構成する枠体は、実施の形態１に示すように２個に限らず、３個以上であってもよい。また、レンズユニット５は、ズームレンズなどの光学レンズのみを備える構成に限らず、像ぶれ補正装置または絞りなど、光学レンズ以外の部品を備えていてもよい。また、固定部７１は、固定部の一例である。突起部６１は、突起部の一例である。リード部７２、保持部７３、およびリード部７４は、延出部の一例である。
【産業上の利用可能性】
【００７３】
本発明にかかるレンズ鏡筒は、光軸方向に移動可能であって、自ユニットと他のユニットとの間を電気的に接続する移動枠ユニットを備えたものであれば適用可能である。このようなレンズ鏡筒は、撮像装置に備えることできる。撮像装置は、例えば、デジタルスチルカメラ、ビデオカメラ、カメラ付き携帯電話端末等がある。
【図面の簡単な説明】
【００７４】
【図１】実施の形態１におけるレンズ鏡筒の平面図
【図２】実施の形態１におけるレンズ鏡筒の断面図
【図３】実施の形態１におけるレンズ鏡筒の断面図
【図４】実施の形態１におけるレンズ鏡筒の内部構造を示す斜視図
【図５】実施の形態１における第３の枠体の構成を示す斜視図
【図６】実施の形態１におけるレンズ鏡筒の他の構成を示す斜視図
【図７】実施の形態１におけるＦＰＣの構成を示す平面図
【図８】従来のＦＰＣユニットの構成を示す斜視図
【符号の説明】
【００７５】
１  レンズ鏡筒
２  第１の枠体
３  第２の枠体
４  第３の枠体
５  移動枠ユニット
６  基体
６１  突起部
６２  ピン
７  フレキシブルプリント基板
７１  固定部
７２  リード部
７３  保持部
７４  リード部
７５  孔部
【図１】
2007241266.tif 000003
【図２】
2007241266.tif 000004
【図３】
2007241266.tif 000005
【図４】
2007241266.tif 000006
【図５】
2007241266.tif 000007
【図６】
2007241266.tif 000008
【図７】
2007241266.tif 000009
【図８】
2007241266.tif 000010